【手続補正書】
【提出日】平成19年11月13日(2007.11.13)
【手続補正１】
【補正対象書類名】明細書
【補正対象項目名】特許請求の範囲
【補正方法】変更
【補正の内容】
【特許請求の範囲】
【請求項１】
電池に接続されたＤＣ／ＤＣコンバータと、該ＤＣ／ＤＣコンバータにより充電されるコンデンサと、該コンデンサへの充電を開始する前に電池電圧の状態を検出するバッテリーチェック手段と、前記ＤＣ／ＤＣコンバータの一次側の電流が所定値に達することを検出する検出手段と、前記ＤＣ／ＤＣコンバータの制御を行う制御手段とを有するコンデンサの充電装置であって、
前記制御手段は、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータを制御するかを切り換えることを特徴とするコンデンサの充電装置。
【請求項２】
前記制御手段は、電池の内部抵抗が増加した状態もしくは電池電圧が所定電圧値より低下したときに、前記ＤＣ／ＤＣコンバータの制御を、前記検出手段よりの検出信号から前記固定のパルス幅の信号による制御に切り換えることを特徴とする請求項１に記載のコンデンサの充電装置。
【請求項３】
前記固定のパルス幅の信号により制御される際の前記ＤＣ／ＤＣコンバータの一次側の電流値は、前記検出手段の検出信号により制御される際の前記ＤＣ／ＤＣコンバータの一次側の電流値よりも小さいことを特徴とする請求項１又は２に記載のコンデンサの充電装置。
【請求項４】
電池に接続されたＤＣ／ＤＣコンバータと、該ＤＣ／ＤＣコンバータにより充電されるコンデンサと、該コンデンサに充電されたエネルギーにより発光する放電管と、前記コンデンサへの充電を開始する前に電池電圧の状態を検出するバッテリーチェック手段と、前記ＤＣ／ＤＣコンバータの一次側の電流が所定値に達することを検出する検出手段と、前記ＤＣ／ＤＣコンバータの制御を行う制御手段とを有するストロボ装置であって、
前記制御手段は、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータを制御するかを切り換えることを特徴とするストロボ装置。
【請求項５】
前記制御手段は、電池の内部抵抗が増加した状態もしくは電池電圧が所定電圧値より低下したときに、前記ＤＣ／ＤＣコンバータの制御を、前記検出手段よりの検出信号から前記固定のパルス幅の信号による制御に切り換えることを特徴とする請求項４に記載のストロボ装置。
【請求項６】
前記固定のパルス幅の信号により制御される際の前記ＤＣ／ＤＣコンバータの一次側の電流値は、前記検出手段の検出信号により制御される際の前記ＤＣ／ＤＣコンバータの一次側の電流値よりも小さいことを特徴とする請求項４又は５に記載のストロボ装置。
【請求項７】
電池に接続されたＤＣ／ＤＣコンバータと、該ＤＣ／ＤＣコンバータにより充電されるコンデンサと、該コンデンサに充電されたエネルギーにより発光する放電管と、前記コンデンサへの充電を開始する前に電池電圧の状態を検出するバッテリーチェック手段と、前記ＤＣ／ＤＣコンバータの一次側の電流が所定値に達することを検出する検出手段と、前記ＤＣ／ＤＣコンバータの制御を行う制御手段とを有するストロボ内蔵カメラであって、
前記制御手段は、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータを制御するかを切り換えることを特徴とするストロボ内蔵カメラ。
【請求項８】
前記制御手段は、電池の内部抵抗が増加した状態もしくは電池電圧が所定電圧値より低下したときに、前記ＤＣ／ＤＣコンバータの制御を、前記検出手段よりの検出信号から前記固定のパルス幅の信号による制御に切り換えることを特徴とする請求項７に記載のストロボ内蔵カメラ。
【請求項９】
前記固定のパルス幅の信号により制御される際の前記ＤＣ／ＤＣコンバータの一次側の電流値は、前記検出手段の検出信号により制御される際の前記ＤＣ／ＤＣコンバータの一次側の電流値よりも小さいことを特徴とする請求項７又は８に記載のストロボ内蔵カメラ。
【手続補正２】
【補正対象書類名】明細書
【補正対象項目名】００１０
【補正方法】変更
【補正の内容】
【００１０】
【課題を解決するための手段】
上記目的を達成するために、本発明は、電池に接続されたＤＣ／ＤＣコンバータと、該ＤＣ／ＤＣコンバータにより充電されるコンデンサと、該コンデンサへの充電を開始する前に電池電圧の状態を検出するバッテリーチェック手段と、前記ＤＣ／ＤＣコンバータの一次側の電流が所定値に達することを検出する検出手段と、前記ＤＣ／ＤＣコンバータの制御を行う制御手段とを有するコンデンサの充電装置であって、前記制御手段が、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータを制御するかを切り換えるコンデンサの充電装置とするものである。
【手続補正３】
【補正対象書類名】明細書
【補正対象項目名】００１１
【補正方法】変更
【補正の内容】
【００１１】
同じく上記目的を達成するために、本発明は、電池に接続されたＤＣ／ＤＣコンバータと、該ＤＣ／ＤＣコンバータにより充電されるコンデンサと、該コンデンサに充電されたエネルギーにより発光する放電管と、前記コンデンサへの充電を開始する前に電池電圧の状態を検出するバッテリーチェック手段と、前記ＤＣ／ＤＣコンバータの一次側の電流が所定値に達することを検出する検出手段と、前記ＤＣ／ＤＣコンバータの制御を行う制御手段とを有するストロボ装置であって、前記制御手段が、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータを制御するかを切り換えるストロボ装置とするものである。
【手続補正４】
【補正対象書類名】明細書
【補正対象項目名】００１２
【補正方法】変更
【補正の内容】
【００１２】
同じく上記目的を達成するために、本発明は、電池に接続されたＤＣ／ＤＣコンバータと、該ＤＣ／ＤＣコンバータにより充電されるコンデンサと、該コンデンサに充電されたエネルギーにより発光する放電管と、前記コンデンサへの充電を開始する前に電池電圧の状態を検出するバッテリーチェック手段と、前記ＤＣ／ＤＣコンバータの一次側の電流が所定値に達することを検出する検出手段と、前記ＤＣ／ＤＣコンバータの制御を行う制御手段とを有するストロボ内蔵カメラであって、前記制御手段が、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータを制御するかを切り換えるストロボ内蔵カメラとするものである。
【手続補正５】
【補正対象書類名】明細書
【補正対象項目名】００２０
【補正方法】変更
【補正の内容】
【００２０】
１２０は定電圧回路であり、マイクロコンピュータ（以下マイコンと呼ぶ）等からなる制御回路１２５からＶＣＣＥＮ端子を介して制御され、各回路に電源であるＶＣＣを供給する。１２１はスイッチ検知回路であり、電池またはＶＣＣ電源により作動して、各スイッチの状態や変化などを制御回路１２５へ伝達する。１２２は温度検出回路、１２３はフィルム感度検知回路で、１２６は測距回路である。１２７は測光回路であり、制御回路１２５に各端子を介して必要な情報を伝える。１２４はシャッタを駆動するシャッタ駆動回路、１２９はレンズを駆動するためのレンズ駆動回路である。１３０はフィルムを給送するためのフィルム駆動回路であり、制御回路１２５により各動作を行う。１２８は表示回路であり、例えばＬＣＤ等に必要な情報を表示するものである。